(57)【要約】【課題】  とくに災害時等において、会社内等の所定の場所への入退場者の安否を確実に確認できるようにする。【解決手段】  認証端末５が入退場者のＩＣカード８に登録された登録情報を用いて、入退場管理の対象者の入退場記録を更新する。災害時等に第１確認部３１が入場の記録があって退場の記録がない不明候補対象者を抽出し、抽出された対象者の顔情報を、出口画像から取得した顔情報と照合し、不明候補対象者のうち退場を確認できない対象者を抽出する。第２確認部３２が抽出された対象者を安否不明者と認定する。【選択図】          図２
2006323719.tif 000002
【特許請求の範囲】
【請求項１】
所定の場所に入退場する入退場管理の対象者の顔情報を含む登録情報および入退場記録を管理する管理手段と、
前記所定の場所に入場する前記対象者に対して所定の操作を要求することにより、該対象者に係る情報を取得し、該取得した情報を前記登録情報と照合することにより前記対象者を特定するとともに、前記入退場記録を更新する入口端末と、
前記所定の場所から退場する前記対象者に対して所定の操作を要求することにより、該対象者に係る情報を取得し、該取得した情報を前記登録情報と照合することにより前記対象者を特定するとともに、前記入退場記録を更新する出口端末と、
前記所定の場所の出口に設置された出口用監視カメラにより撮影された出口画像を保管する出口画像保管手段と、
前記入退場記録を参照することにより入場の記録があって退場の記録がない対象者を抽出し、該抽出された対象者の前記登録情報に含まれる前記顔情報を、前記退場者画像保管手段に保管された前記出口画像から抽出された顔情報と照合することにより、前記抽出された対象者のうち前記所定場所からの退場を確認できない者を抽出し、該抽出された者を安否不明者と認定する安否確認手段とを備えたことを特徴とする安否確認システム。
【請求項２】
前記所定の場所内の各所に設置された複数の監視カメラにより撮影された監視画像を撮影時刻の情報とともに保管する監視画像保管手段をさらに備え、
前記安否確認手段は、前記安否不明者の登録情報に含まれる顔情報を、前記監視画像保管手段に保管された前記監視画像から抽出された顔情報と照合することにより、前記安否不明者が映っている監視画像を抽出し、該抽出された監視画像の前記撮影時刻の情報を参照することにより、前記安否不明者を最後に撮影した監視カメラの設置場所を特定する手段であることを特徴とする請求項１記載の安否確認システム。
【請求項３】
所定の場所に入退場する入退場管理の対象者の顔情報を含む登録情報および入退場記録を管理する管理手段と、
前記所定の場所に入場する前記対象者に対して所定の操作を要求することにより、該対象者に係る情報を取得し、該取得した情報を前記登録情報と照合することにより前記対象者を特定するとともに、前記入退場記録を更新する入口端末と、
前記所定の場所から退場する前記対象者に対して所定の操作を要求することにより、該対象者に係る情報を取得し、該取得した情報を前記登録情報と照合することにより前記対象者を特定するとともに、前記入退場記録を更新する出口端末と、
前記所定の場所の出口に設置された出口用監視カメラにより撮影された出口画像を保管する出口画像保管手段とを備えた安否確認システムにおける安否確認方法であって、
前記入退場記録を参照することにより入場の記録があって退場の記録がない対象者を抽出し、
該抽出された対象者の前記登録情報に含まれる前記顔情報を、前記退場者画像保管手段に保管された前記出口画像から抽出された顔情報と照合することにより、前記抽出された対象者のうち前記所定場所からの退場を確認できない者を抽出し、
該抽出された者を安否不明者と認定することを特徴とする安否確認方法。
【請求項４】
所定の場所に入退場する入退場管理の対象者の顔情報を含む登録情報および入退場記録を管理する管理手段と、
前記所定の場所に入場する前記対象者に対して所定の操作を要求することにより、該対象者に係る情報を取得し、該取得した情報を前記登録情報と照合することにより前記対象者を特定するとともに、前記入退場記録を更新する入口端末と、
前記所定の場所から退場する前記対象者に対して所定の操作を要求することにより、該対象者に係る情報を取得し、該取得した情報を前記登録情報と照合することにより前記対象者を特定するとともに、前記入退場記録を更新する出口端末と、
前記所定の場所の出口に設置された出口用監視カメラにより撮影された出口画像を保管する出口画像保管手段とを備えた安否確認システムにおける安否確認方法をコンピュータに実行させるためのプログラムであって、
前記入退場記録を参照することにより入場の記録があって退場の記録がない対象者を抽出する手順と、
該抽出された対象者の前記登録情報に含まれる前記顔情報を、前記退場者画像保管手段に保管された前記出口画像から抽出された顔情報と照合することにより、前記抽出された対象者のうち前記所定場所からの退場を確認できない者を抽出する手順と、
該抽出された者を安否不明者と認定する手順とを有することを特徴とするプログラム。
【発明の詳細な説明】
【技術分野】
【０００１】
本発明は、会社等の所定の場所へ入退場する者の管理を行うシステムに関し、とくに災害等の緊急時における入退場者の安否を確認する安否確認システムおよび方法、並びに安否確認方法をコンピュータに実行させるためのプログラムに関するものである。
【背景技術】
【０００２】
一般に、会社においては、第三者の不正入場を禁止するセキュリティ管理を行うために、構内への入退場者をチェックするようにしている。例えば、社員を特定するＩＤを記憶したＩＣチップを付与した社員証をＩＤカードとして使用して社員の入退場を管理することが行われている。また、社員についてはＩＤカードによる入退場管理を行い、来訪者については、入場時に撮影した画像と、退場時に撮影した画像を照合することにより入退場管理を行う手法も提案されている（特許文献１参照）。
【０００３】
一方、ＩＤカードを用いた入退場管理のシステムにおいては、ＩＤカードの読み取り不良が生じたり、入退場時に認証操作を行わないで入退場する者がいる場合もある。このような場合は入退場の管理を確実に行うことができない。このため、場内の各所に認証装置を設け、入場者の居所が不明な場合、場内の他の場所において取得された情報に基づいて、入場者の居所を高精度で推定するシステムも提案されている（特許文献２参照）。
【特許文献１】特開２００４−１２６８２９号公報
【特許文献１】特開２００３−４４８９１号公報
【発明の開示】
【発明が解決しようとする課題】
【０００４】
入退場時にＩＤカードの操作等を要求するシステムは、入退場者の協力により入退場者に関する十分な情報を取得することができるため、認証の精度は高い。しかしながら、入退場者がカード操作等を忘れてしまうと、認証を行うことができないという問題がある。
【０００５】
一方、入退場者の顔を自動撮影するシステムは、入退場者の協力が得られなくても入退場者の情報を取得することができる。しかしながら、必ずしも認証に最適な画像を取得できるとは限らないため、認証の精度は劣る。
【０００６】
このため、いずれのシステムも、１００％確実な入退場管理は期待できない。確実な入退場管理ができないことは、日常的には大きな支障はないものの、災害等が発生し、至急社員の安否を確認したい場合には問題がある。
【０００７】
本発明は、上記事情に鑑みなされたものであり、とくに災害発生時等の緊急時において、会社内等の所定の場所への入退場者の安否を確実に確認できるようにすることを目的とする。
【課題を解決するための手段】
【０００８】
本発明による安否確認システムは、所定の場所に入退場する入退場管理の対象者の顔情報を含む登録情報および入退場記録を管理する管理手段と、
前記所定の場所に入場する前記対象者に対して所定の操作を要求することにより、該対象者に係る情報を取得し、該取得した情報を前記登録情報と照合することにより前記対象者を特定するとともに、前記入退場記録を更新する入口端末と、
前記所定の場所から退場する前記対象者に対して所定の操作を要求することにより、該対象者に係る情報を取得し、該取得した情報を前記登録情報と照合することにより前記対象者を特定するとともに、前記入退場記録を更新する出口端末と、
前記所定の場所の出口に設置された出口用監視カメラにより撮影された出口画像を保管する出口画像保管手段と、
前記入退場記録を参照することにより入場の記録があって退場の記録がない対象者を抽出し、該抽出された対象者の前記登録情報に含まれる前記顔情報を、前記退場者画像保管手段に保管された前記出口画像から抽出された顔情報と照合することにより、前記抽出された対象者のうち前記所定場所からの退場を確認できない者を抽出し、該抽出された者を安否不明者と認定する安否確認手段とを備えたことを特徴とするものである。
【０００９】
なお、本発明による安否確認システムにおいては、前記所定の場所内の各所に設置された複数の監視カメラにより撮影された監視画像を撮影時刻の情報とともに保管する監視画像保管手段をさらに備えるものとし、
前記安否確認手段を、前記安否不明者の登録情報に含まれる顔情報を、前記監視画像保管手段に保管された前記監視画像から抽出された顔情報と照合することにより、前記安否不明者が映っている監視画像を抽出し、該抽出された監視画像の前記撮影時刻の情報を参照することにより、前記安否不明者を最後に撮影した監視カメラの設置場所を特定する手段としてもよい。
【００１０】
本発明による安否確認方法は、所定の場所に入退場する入退場管理の対象者の顔情報を含む登録情報および入退場記録を管理する管理手段と、
前記所定の場所に入場する前記対象者に対して所定の操作を要求することにより、該対象者に係る情報を取得し、該取得した情報を前記登録情報と照合することにより前記対象者を特定するとともに、前記入退場記録を更新する入口端末と、
前記所定の場所から退場する前記対象者に対して所定の操作を要求することにより、該対象者に係る情報を取得し、該取得した情報を前記登録情報と照合することにより前記対象者を特定するとともに、前記入退場記録を更新する出口端末と、
前記所定の場所の出口に設置された出口用監視カメラにより撮影された出口画像を保管する出口画像保管手段とを備えた安否確認システムにおける安否確認方法であって、
前記入退場記録を参照することにより入場の記録があって退場の記録がない対象者を抽出し、
該抽出された対象者の前記登録情報に含まれる前記顔情報を、前記退場者画像保管手段に保管された前記出口画像から抽出された顔情報と照合することにより、前記抽出された対象者のうち前記所定場所からの退場を確認できない者を抽出し、
該抽出された者を安否不明者と認定することを特徴とするものである。
【００１１】
「所定の操作」としては、対象者の協力により入退場者の情報を取得するための操作であり、具体的には、ＩＤカードに記憶された対象者を特定する情報（例えばＩＤ番号）を読み取ること等を挙げられる。
【００１２】
なお、本発明による安否確認方法方法をコンピュータに実行させるためのプログラムとして提供してもよい。
【発明の効果】
【００１３】
本発明によれば、対象者が所定の場所に入場する際に、入退場管理の対象者に係る情報が取得され、データベースに登録された入退場管理の対象者の登録情報と照合されて対象者が特定され、さらに入退場記録が更新される。また、対象者が所定の場所から退場する際に、対象者に係る情報が取得され、データベースに登録された入退場管理の対象者の登録情報と照合されて対象者が特定され、さらに入退場記録が更新される。一方、所定の場所の出口に設置された出口用監視カメラにより出口画像が撮影されて保管されている。そして、入退場記録を参照し、入場の記録があって退場の記録がない対象者が抽出され、抽出された対象者の登録情報に含まれる顔情報が出口画像から抽出された顔情報と照合され、所定場所からの退場を確認できない者が抽出される。そして、抽出された者が安否不明者と認定される。
【００１４】
このように、本発明においては、入退場者の協力により得られる対象者に係る情報、および協力がなくても得られる出口画像の情報の双方を用いるようにしたため、対象者の所定の場所への入退場を確実に管理することができる。したがって、とくに災害時において、入退場記録を更新することなく所定の場所から退場してしまう対象者がいても、所定の場所から退場していない対象者を確実に把握することが可能となる。
【００１５】
また、所定の場所内の各所に設置された複数の監視カメラによる監視画像と安否不明者の登録情報に含まれる顔情報とを照合して安否不明者が映っている監視画像を抽出し、抽出された監視画像の撮影時刻の情報を参照して、安否不明者を最後に撮影した監視カメラの設置場所を特定することにより、安否不明者の所在を推測することが容易となり、その結果、災害等の緊急時において安否不明者の救出を容易に行うことができる。
【発明を実施するための最良の形態】
【００１６】
以下、図面を参照して本発明の実施形態について説明する。図１は本発明の実施形態による安否確認システムを適用したエリアの平面図である。図１に示すようにこのエリア１には１カ所の通用門２と、複数の建屋３ａ〜３ｄがあり、エリア１と建屋３ａ〜３ｄには予め登録された入退場管理の対象者のみ入場が許可されている。
【００１７】
通用門２には認証端末５が設置されている。エリア１に入場しようとする対象者およびエリア１から退場しようとする対象者は、通用門２を通過する際、認証端末５に対して所定の操作を行うことにより認証を受ける。また、通用門２には、エリア１から退場する人物を撮影するための出口用監視カメラ６が設置されており、エリア１から退場しようとする対象者は認証端末５に対して所定の操作を行う際に監視カメラ６により撮影される。
【００１８】
一方、建屋３ａ〜３ｄの入口には、それぞれ、ドア４ａ〜４ｄが設置されている。また、各建屋内には、それぞれ建屋用の監視カメラ７ａ〜７ｄが配置されている。各建屋に入場する対象者は、入場時に監視カメラ７ａ〜７ｄにより撮影がなされる。
【００１９】
図２は本実施形態による安否確認システムの構成を示す概略ブロック図である。図２に示すように、本実施形態による安否確認システムは、エリア１に入場を許可された入退場管理の対象者に配布されるＩＣカード８と、認証端末５と、認証端末５に接続された、後述する登録情報および入退場記録を管理する管理部１１と、出口用の監視カメラ６が撮影により取得した画像の画像データＳ０を保管する出口画像保管部１２と、建屋用の監視カメラ７ａ〜７ｄが撮影により取得した画像の画像データＳ１を保管する監視画像保管部１３と、安否確認部１４とにより構成される。
【００２０】
ここで、認証端末５は、ＩＣカード８に記憶されている情報の読み取りおよび書込み機能を備えており、ＩＣカード８を介して情報を交換することができる。本実施形態では、ＩＣカード８として非接触型ＩＣカードを用いるが、接触型ＩＣカードや無線タグでも同様のシステムを構築することができる。
【００２１】
ＩＣカード８は、システムへの登録が行われたときに発行され、以後、対象者により携帯される。ＩＣカード８には、カード発行時に、そのカードを携帯する対象者のＩＤ、所属部署、役職、氏名、顔に係る情報（以下、顔情報とする）、およびその他の登録情報が記憶される。ＩＤは、数字、文字、記号の組み合わせからなる固定長のデータである。所属部署および役職は数字、記号あるいは文字のデータとして記憶される。また、顔情報は、顔画像をそのものを表す画像データと、その顔画像データから抽出された複数種類の特徴量を表すデータ（以下、特徴量データ）からなる。顔そのものを表す画像データは、顔画像の表示が必要な場合に利用され、特徴量データは顔の照合に利用される。また、ＩＣカード８には、ＩＣカード８が認証端末５にかざされた日時と、そのときの認証の成否を示す認証成否情報が記憶される。
【００２２】
図３は、認証端末５の構成を示す概略ブロック図である。認証端末５は、壁等の垂直面に設置可能な箱型の装置であり、カードリーダ／ライタ２１と、小型液晶ディスプレイ２２と、スピーカ２３とを備えている。また、認証端末５は、内部に、ＣＰＵとメモリを備えた制御基板もしくは半導体装置等からなる制御部を備えている。制御部のメモリには認証プログラムが記憶されており、カードリーダ／ライタ２１による情報の読み書き、小型液晶ディスプレイ２２、およびスピーカ２３への出力は、この認証プログラムにより制御される。
【００２３】
カードリーダ／ライタ２１は、ＩＣカード８に対して電波を発信するアンテナ、その電波に応じてＩＣカード８が発信した情報を読み取って認証端末５内のメモリに記憶する読取制御部、および認証端末内のメモリに記憶されている情報をＩＣカード８に転送する書込制御部からなる。
【００２４】
小型液晶ディスプレイ２２は、認証を受けようとする対象者に対するメッセージを出力するためのものである。小型液晶ディスプレイ２２は、文字のみ表示可能なディスプレイでも画像表示可能なディスプレイでもよい。スピーカ２３は、認証を受けようとする対象者に対し、端末の操作手順を指示する音声ガイダンスや、操作誤りに対する警告音を出力するためのものである。
【００２５】
なお、認証端末５は、入場用および退場用のものを別個に設けるようにしてもよい。
【００２６】
管理部１１は、入退場管理の対象者の情報を登録した登録情報データベースＤＢ１および入退場記録データベースＤＢ２を管理する。
【００２７】
図４は登録情報データベースＤＢ１の構成を示す図である。図４に示すように登録情報データベースＤＢ１には、登録されたすべての入退場管理の対象者のＩＤが登録され、各登録ＩＤに、所属部署、役職、氏名、顔情報およびその他の情報が登録されている。また、顔情報には顔画像のデータおよび特徴量のデータが登録されている。
【００２８】
図５は入退場記録データベースＤＢ２の構成を示す図である。図５に示すように入退場記録データベースＤＢ２には、後述するように対象者が認証された場合に、入退場時の日時、ＩＤおよび入退場のいずれかを示す情報が入退場記録として登録される。例えば、図５に示す入退場記録データベースＤＢ２の最上欄には、２００５年４月２５日８時３０分２５秒にＩＤ０１２３４の対象者が入場したことが登録されている。なお、入退場記録データベースＤＢ２に入退場記録が登録された対象者がエリア１から退場した場合には、入退場の情報は「退」に更新される。なお、「退」に更新された場合、一定時間経過後にそのＩＤについての入退場記録は入退場記録データベースＤＢ２から消去することが好ましい。
【００２９】
出口画像保管部１２は、出口用の監視カメラ６が撮影により取得した対象者の画像の画像データＳ０を保管する。ここで、画像データＳ０には撮影時刻の情報が付与される。具体的には画像データＳ０のタグに撮影時刻の情報が記述される。なお、画像データＳ０は、一定時間経過後に出口画像保管部１２から消去することが好ましい。
【００３０】
監視画像保管部１３は、建屋用監視カメラ７ａ〜７ｄが撮影により取得した対象者の画像の画像データＳ１を保管する。ここで、画像データＳ１には撮影時刻の情報および撮影した監視カメラ７ａ〜７ｄを特定する情報が付与される。具体的には画像データＳ０のタグに撮影時刻の情報および監視カメラを特定する情報（例えば監視カメラのＩＤ）が記述される。なお、画像データＳ１は、一定時間経過後に監視画像保管部１３から消去することが好ましい。
【００３１】
ここで、出口用および建屋用の監視カメラ６，７ａ〜７ｄは、所定時間間隔（例えば２秒間隔）にて常時撮影を行っており、所定時間間隔にて取得された画像データＳ０，Ｓ１をすべて保管部１２，１３に入力する。保管部１２，１３は、入力された画像データＳ０，Ｓ１の画像（以下画像についても画像データと同一の参照符号を用いるものとする）の直前に入力された画像Ｓ０，Ｓ１との対応する画素間の差分値を算出し、差分値の絶対値が所定値以上となり、人物が写っていると見なせる画像のみを保管するようにすることが好ましい。また、監視カメラ６，７ａ〜７ｄに赤外線センサ等の人感センサを設け、センサにより人物が検出されたときのみに監視カメラ６，７ａ〜７ｄにより撮影を行って画像データＳ０，Ｓ１を保管するようにしてもよい。
【００３２】
安否確認部１４は、第１確認部３１と、第２確認部３２と、所在推定部３３と、各種表示を行うモニタ３４と、各種入力を行う入力部３５とを備える。安否確認部１４は、内部にＣＰＵとメモリを備えた制御基板もしくは半導体装置等からなる制御部を備えている。制御部のメモリには安否確認プログラムが記憶されており、第１および第２確認部３１，３２による確認の処理、所在推定部３３による対象者の所在の推定、およびモニタ３４への出力は、この安否確認プログラムにより制御される。
【００３３】
なお、入力部３５は、キーボードおよびマウスからなる。
【００３４】
第１確認部３１は、災害が発生する等の緊急時に、オペレータにより入退場の確認の指示が入力部３５からなされると、安否確認プログラムにより、管理部１１により管理されている入退場記録データベースＤＢ２を参照し、入場の記録があって退場の記録がない対象者（不明候補対象者とする）を抽出する処理を行う。ここで、不明候補対象者は、入退場記録データベースＤＢ２における入退室の欄に「入」と登録されている対象者である。なお、該当する対象者がいない場合には、例えば「該当者がいません」のような表示をモニタ３４に表示させる。
【００３５】
第２確認部３２は、第１確認部３１が不明候補対象者を抽出した場合に、不明候補対象者のＩＤを用いて登録情報データベースＤＢ１を参照し、不明候補対象者の顔情報から特徴量のデータを取得する。さらに、出口画像保管部１２に保管されているすべての出口画像から顔画像を抽出し、顔画像を表す顔画像データから特徴量データを抽出し、不明候補対象者の特徴量と、出口画像の顔画像から抽出した特徴量とを比較することにより顔の照合を行う。
【００３６】
具体的には、下記のように顔の照合を行う。前述のように特徴量は複数種類あるため、各不明候補対象者についてまず特徴量ごとに比較を行い、一致の度合い（類似度）を数値に換算する。そして、複数種類の特徴量について求めた数値の累積値を算出し、累積値が所定の閾値を越えていれば、その不明候補対象者は出口画像に映っていると判定する。一方、所定の閾値以下の場合にはその不明候補対象者は出口画像に映っていないと判定する。
【００３７】
ここで、エリア１へ入場した対象者が退場する際に、ＩＣカード８を認証端末５にかざすことを忘れてしまう場合がある。しかしながら、退場時には出口用の監視カメラ６により撮影が行われている。したがって、出口画像に映っていると判定された不明候補対象者は、ＩＣカード８を用いた認証はなされていないが、エリア１から退場していると見なすことができる。逆に出口画像に映っていないと判定された不明候補対象者は、ＩＣカード８を用いた認証はなされておらず、エリア１から退場もしていないと見なすことができる。
【００３８】
第２確認部３２は、上記照合を行うことにより、不明候補対象者から出口画像に含まれていないと判定された者を抽出し、抽出された者を安否不明者と認定する。
【００３９】
所在推定部３３は、監視画像保管部１３に保管されているすべての監視画像から顔画像および顔画像を表す顔画像データから特徴量データを抽出し、抽出した特徴量データと安否不明者の特徴量データと比較することにより顔の照合を行う。
【００４０】
具体的には、各安否不明者について特徴量ごとに比較を行い、一致の度合い（類似度）を数値に換算する。そして、複数種類の特徴量について求めた数値の累積値を算出し、累積値が所定の閾値を越えていれば、その安否不明者は監視画像に映っていると判定する。一方、所定の閾値以下の場合にはその安否不明者は監視画像に映っていないと判定する。
【００４１】
そして、安否不明者が映っている監視画像をすべて抽出し、抽出したすべての監視画像の撮影時刻の情報を参照し、撮影時刻が最も新しい監視画像を選択する。そして、選択した監視画像に付与された、その監視画像を撮影した監視カメラを特定する情報を参照して、安否不明者を最後に撮影した監視カメラの設置場所を特定する。例えば、安否不明者を最後に撮影した監視カメラが監視カメラ７ｂである場合には、その安否不明者を最後に撮影した監視カメラの設置場所は、建屋３ｂであると特定する。
【００４２】
そして、所在推定部３３は、登録情報データベースＤＢ１を参照し、安否不明者の所属部署、役職、氏名、および顔情報に含まれる顔画像データにより表される顔画像とともに、その安否不明者を最後に撮影した監視カメラの設置場所を含む安否確認画面をモニタ３４に表示する。
【００４３】
なお、第２確認部３２が安否不明者を認定した際に、登録情報データベースＤＢ１を参照し、安否不明者の所属部署、役職、氏名、および顔情報に含まれる顔画像データにより表される顔画像を含む安否確認画面をモニタ３４に表示するようにしてもよい。
【００４４】
図６は安否確認画面の例を示す図である。図６に示すように、安否確認画面４０には、安否不明者のリストが表示されている。各リストには、安否不明者の顔画像４０Ａと、所属部署、役職、氏名およびその安否不明者を最後に撮影した監視カメラの設置場所の情報４０Ｂとが含まれる。また、安否不明者が多数いる場合にはスクロールバー４０Ｃを用いて安否確認画面４０をスクロールすることにより、すべての安否不明者を確認することができる。
【００４５】
続いて、本実施形態において行われる処理について説明する。まず、エリア１に入場しようとする入退場管理の対象者、すなわち認証を受けようとする対象者が行う操作と、操作が行われたときに認証端末５が行う処理（認証端末に組み込まれているプログラムの処理）について説明する。
【００４６】
図７は、通用門２に設置された認証端末５が行う処理を示すフローチャートである。認証端末５による認証を受けようとする対象者が、ＩＣカード８を認証端末５のカードリーダ／ライタ２１にかざすと、カードリーダ／ライタ２１はＩＣカード８から登録情報を読み取り、制御部のメモリに転送する（ステップＳＴ１０１）。
【００４７】
続いて認証端末５は、ＩＣカード８から読み取った登録情報と、登録情報データベースＤＢ１とを照合する（ステップＳＴ１０２）。そして、ＩＣカード８に記憶されている登録情報が登録情報データベースＤＢ１に登録されているか否かを判断する。
【００４８】
認証端末５は、ＩＣカード８に記憶されている登録情報が登録情報データベースＤＢ１に登録されていると判断すれば、認証に成功したことを示す認証成否情報をＩＣカード８に記憶し（ステップＳＴ１０３）、入場時であれば、管理部１１が管理する入退場記録データベースＤＢ２にその対象者の入退場記録を登録することにより入退場記録データベースＤＢ２を更新する（ステップＳＴ１０４）。一方、退場時であれば、入退場記録の入退場の情報を「退」に変更することにより入退場記録データベースＤＢ２を更新する。なお、そして、認証端末５は、小型液晶ディスプレイ２２に、認証に成功したことを示すメッセージを出力し（ステップＳＴ１０５）、処理を終了する。
【００４９】
一方、ＩＣカード８に記憶されている登録情報が登録情報データベースＤＢ１に登録されていない場合には、認証端末５は、認証に失敗したことを示す認証成否情報をＩＣカード８に記憶する（ステップＳＴ１０３）。
【００５０】
なお、認証に失敗した場合には、認証端末５は小型液晶ディスプレイ２２へのエラーメッセージを出力する（ステップＳＴ１０５）。
【００５１】
次に、災害が発生する等の緊急時に安否確認部１４が行う処理（安否確認部１４に組み込まれているプログラムの処理）について説明する。図８は、安否確認部１４が行う処理を示すフローチャートである。緊急時にオペレータが安否確認部１４に対して処理開始の指示を行うことにより安否確認部１４が処理を開始し、第１確認部３１が入退場記録データベースＤＢ２を参照して、入場の記録があって退場の記録がない不明候補対象者を抽出する（ステップＳＴ１１１）。
【００５２】
次に第２の確認部３２が、不明候補対象者の特徴量データと出口画像から抽出した顔画像の特徴量データとを比較することにより顔の照合を行う（ステップＳＴ１１２）。そして、不明候補対象者から出口画像に含まれていないと判定された対象者を抽出し、抽出された対象者を安否不明者と認定する（ステップＳＴ１１３）。
【００５３】
次に所在推定部３３が、安否不明者の特徴量データと監視画像から抽出した特徴量データとを比較することにより顔の照合を行う（ステップＳＴ１１４）。そして、安否不明者が写っている監視画像のうち、撮影時刻が最も新しい監視画像を取得した監視カメラの設置場所を特定する（ステップＳＴ１１５）。続いて、所在推定部３３は、安否確認画面４０をモニタ３４に表示し（ステップＳＴ１１６）、処理を終了する。
【００５４】
一方、不明候補対象者が抽出されなかった場合には、安否確認部１４はモニタ３４に不明候補対象者が抽出されたなかった旨のメッセージを表示する。また、出口画像に含まれていないと判定された不明候補対象者がいない場合には、安否確認部１４は、安否不明者がいない旨のメッセージをモニタ３４に表示する。
【００５５】
このように、本実施形態においては、入退場者の協力により得られる入退場記録および、協力がなくても得られる出口画像の双方を用いるようにしたため、対象者のエリア１への入退場を確実に管理することができる。したがって、とくに災害が発生する等の緊急時において、入退場記録を更新することなくエリア１から退場する対象者がいたとしても、出口画像を用いることにより、エリア１から退場していない対象者を確実に把握することが可能となる。
【００５６】
また、エリア１内の各所に設置された複数の監視カメラ７ａ〜７ｄによる監視画像と安否不明者の登録情報に含まれる顔情報を用いて、安否不明者を最後に撮影した監視カメラの設置場所を特定することにより、安否不明者の所在を推測することが容易となり、その結果災害時において安否不明者の救出を容易に行うことができる。
【００５７】
なお、上記では、本発明の実施形態に係る安否確認システムについて説明したが、コンピュータを、安否確認部１４に対応する手段として機能させ、図８に示すような処理を行わせるプログラムも、本発明の実施形態の１つである。また、そのようなプログラムを記録したコンピュータ読取可能な記録媒体も、本発明の実施形態の１つである。
【００５８】
以上、本発明について複数の実施形態を例示して説明したが、本発明の技術的範囲は特許請求の範囲の記載事項によってのみ定められるべきであり、上記実施形態に限定されないことは、言うまでもない。
【図面の簡単な説明】
【００５９】
【図１】本発明の実施形態による安否確認システムを適用したエリアの平面図
【図２】本実施形態による安否確認システムの構成を示す概略ブロック図
【図３】認証端末の構成を示す概略ブロック図
【図４】登録情報データベースの構成を示す図
【図５】入退場記録データベースの構成を示す図
【図６】安否確認画面の例を示す図
【図７】認証端末が行う処理を示すフローチャート
【図８】安否確認部が行う処理を示すフローチャート
【符号の説明】
【００６０】
１    エリア
２    通用門
３ａ〜３ｄ    建屋
５    認証端末
６    出口用監視カメラ
７ａ〜７ｄ    建屋用監視カメラ
８    ＩＣカード
１１    管理部
１２    出口画像保管部
１３    監視画像保管部
１４    安否確認部
３１    第１確認部
３２    第２確認部
３３    所在推定部
【図１】
2006323719.tif 000003
【図２】
2006323719.tif 000004
【図３】
2006323719.tif 000005
【図４】
2006323719.tif 000006
【図５】
2006323719.tif 000007
【図６】
2006323719.tif 000008
【図７】
2006323719.tif 000009
【図８】
2006323719.tif 000010